(57)【要約】【課題】テレビ電話を行う場合に、送信側のユーザにとってプライバシーに関わる情報が送られてしまうことを防ぐと共に、テレビ電話としての臨場感を確保し、通信端末の装置コストを低減する。【解決手段】中継装置を介してテレビ電話を行うテレビ電話システムであって、送信側通信端末は、中継装置に対して撮影したテレビ電話の画像と、送信側通信端末または受信側通信端末に関する情報とを送信し、前記中継装置は、送信側通信端末が撮影したテレビ電話の画像と、送信側通信端末または受信側通信端末に関する情報とを送信側通信端末から受信し、受信した前記送信側通信端末または受信側通信端末に関する情報に基づいて前記送信側通信端末から受信したテレビ電話の画像の加工を行い、当該加工を行った画像を受信側通信端末に送信する。【選択図】図１
2007174281.tif 000002
【特許請求の範囲】
【請求項１】
中継装置を介してテレビ電話を行うテレビ電話システムであって、
送信側通信端末は、前記中継装置に対して撮影したテレビ電話の画像と、送信側通信端末または受信側通信端末に関する情報と、を送信し、
前記中継装置は、送信側通信端末が撮影したテレビ電話の画像と、送信側通信端末または受信側通信端末に関する情報と、を送信側通信端末から受信し、該受信した前記送信側通信端末または受信側通信端末に関する情報に基づいて前記送信側通信端末から受信したテレビ電話の画像の加工を行い、当該加工を行った画像を受信側通信端末に送信することを特徴とするテレビ電話システム。
【請求項２】
前記中継装置は、前記送信側通信端末に関する情報として該送信側通信端末の位置情報を受信し、当該位置情報に基づいて前記送信側通信端末から受信したテレビ電話の画像の加工を行うことを特徴とする請求項１記載のテレビ電話システム。
【請求項３】
前記中継装置は、前記画像の加工として、前記送信側通信端末から送信されたテレビ電話の画像を背景画像と人物画像とに分離し、前記送信側通信端末の位置情報に対応する背景画像を選択し、該選択した位置情報に対応する背景画像と前記人物画像とを合成することを特徴とする請求項２記載のテレビ電話システム。
【請求項４】
テレビ電話の画像を撮影する撮影手段と、
前記撮影手段が撮影したテレビ電話の画像を送信する送信手段と、
前記送信手段を介して送信したテレビ電話の画像を加工させる場合に、画像加工要求信号と該画像の加工に必要な情報とを前記送信手段を介して送信制御する制御手段と、
を備えることを特徴とする通信端末。
【請求項５】
テレビ電話の画像と、送信側通信端末または受信側通信端末に関する情報と、を送信側通信端末から受信する受信手段と、
該受信した送信側通信端末または受信側通信端末に関する情報に基づいて前記送信側通信端末から受信したテレビ電話の画像を加工する画像加工手段と、
当該加工を行ったテレビ電話の画像を受信側通信端末に送信する送信手段と、
を備えることを特徴とする中継装置。
【発明の詳細な説明】
【技術分野】
【０００１】
本発明は、テレビ電話システム、通信端末、中継装置に関する。
【背景技術】
【０００２】
近年、カメラで撮影された画像を送受信することで、ユーザ同士が互いの表情を見ながら会話をすることができるテレビ電話が普及しつつある。しかしながら、上記テレビ電話には、送信側のユーザにとってプライバシーに関わる情報を含む画像を受信側のユーザに送信してしまうという問題がある。このようなプライバシーに関わる情報は、主に背景画像に含まれていることが多く、例えば、下記特許文献１には、送信側のユーザが送信する画像を背景画像と人物画像とに分離し、背景画像を別の背景画像と差し替えて人物画像と合成することにより、受信側のユーザには実際の画像とは異なる合成画像を送信する技術が開示されている。また、ユーザの画像の代わりに任意のキャラクタの画像が送信されるというテレビ電話サービスが提供されており、上記問題を解決する方法の一つとして利用されている。
【０００３】
上記のような技術及びサービスでは、背景画像データやキャラクタデータをテレビ電話の内部メモリに記憶しており、それらのデータはネットワークからダウンロードすることでメモリ内のデータの更新をすることが可能である。
【０００４】
また、下記特許文献２には、送信側が、撮影画像と該撮影画像を合成する背景画像を示す識別コードを送信し、受信側において送信されてきた撮影画像、および、識別コードを受信し、受信した識別コードに対応する背景画像が読み出され、送信されてきた撮影画像とを合成する技術が開示されている。
【０００５】
また、下記特許文献３には、中継局が、送信側が撮影した画像を被写体画像と背景画像とに分離して、分離した画像に替えて、コマーシャル画像、インターネットのバナーコマーシャル画像を合成する技術が開示されている。
【特許文献１】特開平４−３１００８６号公報
【特許文献２】特開２０００−１７５１６７号公報
【特許文献３】特開２００１−３２６９１８号公報
【発明の開示】
【発明が解決しようとする課題】
【０００６】
しかしながら、上記特許文献１及びサービスでは、テレビ電話端末に背景画像を差し替えるための分離・合成する画像処理機能と差し替え用の背景画像を記憶するためのメモリを備える必要があり、テレビ電話端末の装置コストが増大するという問題がある。また、背景画像データやキャラクタデータを更新するためには、ネットワークからダウンロードする必要があり、ユーザに手間と通信コストの負担を強いるという問題もある。
【０００７】
また、上記特許文献２では、送信側が送信する識別コードに対応する背景画像を受信側が記憶しておかなければ背景画像を差し替えることができないという問題がある。さらに、上記特許文献１やサービスと同様に、テレビ電話端末において、撮影画像と識別コードに対応する背景画像を合成する画像処理機能、識別コードに対応する背景画像を記憶するメモリ、該メモリのデータを更新するための手間とコスト負担がかかるという問題もある。
【０００８】
また、上記特許文献３では、送信側（送信者）に依存しない（意図しない）コマーシャル画像が背景画像として合成されるため、合成された画像を受信している受信側（受信者）において被写体画像とコマーシャル画像との関連性を誤解してしまうという問題がある。さらに、どの場所から送信しても、決められたコマーシャル画像が背景画像として合成されるため、テレビ電話としての臨場感が損なわれてしまうという問題もある。
【課題を解決するための手段】
【０００９】
上記問題を解決するために、本発明では、テレビ電話システムに係る第１の解決手段として、中継装置を介してテレビ電話を行うテレビ電話システムであって、送信側通信端末は、前記中継装置に対して撮影したテレビ電話の画像と、送信側通信端末または受信側通信端末に関する情報と、を送信し、前記中継装置は、送信側通信端末が撮影したテレビ電話の画像と、送信側通信端末または受信側通信端末に関する情報と、を送信側通信端末から受信し、該受信した前記送信側通信端末または受信側通信端末に関する情報に基づいて前記送信側通信端末から受信したテレビ電話の画像の加工を行い、当該加工を行った画像を受信側通信端末に送信する、という手段を採用する。
【００１０】
また、本発明では、テレビ電話システムに係る第２の解決手段として、上記第１の解決手段において、前記中継装置は、前記送信側通信端末に関する情報として該送信側通信端末の位置情報を受信し、当該位置情報に基づいて前記送信側通信端末から受信したテレビ電話の画像の加工を行う、という手段を採用する。
【００１１】
また、本発明では、テレビ電話システムに係る第３の解決手段として、上記第２の解決手段において、前記中継装置は、前記画像の加工として、前記送信側通信端末から送信されたテレビ電話の画像を背景画像と人物画像とに分離し、前記送信側通信端末の位置情報に対応する背景画像を選択し、該選択した位置情報に対応する背景画像と前記人物画像とを合成する、という手段を採用する。
【００１２】
一方、本発明では、通信端末に係る第１の解決手段として、テレビ電話の画像を撮影する撮影手段と、前記撮影手段が撮影したテレビ電話の画像を送信する送信手段と、前記送信手段を介して送信したテレビ電話の画像を加工させる場合に、画像加工要求信号と該画像の加工に必要な情報とを前記送信手段を介して送信制御する制御手段と、を備える、という手段を採用する。
【００１３】
さらに、本発明では、中継装置に係る第１の解決手段として、テレビ電話の画像と、送信側通信端末または受信側通信端末に関する情報と、を送信側通信端末から受信する受信手段と、該受信した送信側通信端末または受信側通信端末に関する情報に基づいて前記送信側通信端末から受信したテレビ電話の画像を加工する画像加工手段と、当該加工を行ったテレビ電話の画像を受信側通信端末に送信する送信手段と、を備える、という手段を採用する。
【発明の効果】
【００１４】
本発明によれば、テレビ電話を行う場合に、送信側のユーザにとってプライバシーに関わる情報が送られてしまうことを防ぐことができると共に、テレビ電話としての臨場感も楽しめるという効果がある。また、通信端末に画像処理機能の追加やメモリ増設をする必要がなく、通信端末の装置コストを低減することができる。
【発明を実施するための最良の形態】
【００１５】
以下、図面を参照して、本発明の実施形態について説明する。
図１は、本発明の一実施形態に係わるテレビ電話システムの構成概略図である。この図において、符号Ａは第１のユーザ、Ｂは第２のユーザ、１は第１の携帯電話、２は第１の基地局、３は中継局、４は画像処理サーバ、５は背景画像データベース、６は第２の基地局、７は第２の携帯電話、Ｎはインターネット網である。
【００１６】
第１の携帯電話１は、第１のユーザＡのテレビ電話機能付携帯電話であり、図２に示すように、無線通信部１ａ、ＧＰＳ（Global Positioning System）通信部１ｂ、キー入力部１ｃ、表示部１ｄ、音声入出力部１ｅ、画像撮影部１ｆ、制御部１ｇ、ＲＯＭ１ｈ及びＲＡＭ１ｉから構成されている。
【００１７】
無線通信部（送信手段）１ａは、制御部１ｇによる制御の下に所定の通信方式、例えばＣＤＭＡ（Code Division Multiple Access）方式等を用いて第１の基地局２との間で無線通信を行うものである。ＧＰＳ（Global Positioning System）通信部１ｂは、制御部１ｇによる制御の下に、全地球測位システム（Global Positioning System）を利用して第１の携帯電話１の経度及び緯度を計測し、これら経度及び緯度を第１の携帯電話１の位置情報として制御部１ｇに出力する。
【００１８】
キー入力部１ｃは、ダイヤルキー、ファンクションキー、電源キー等から構成されており、これらキーの操作情報を操作信号として制御部１ｇに出力する。表示部１ｄは、例えば液晶ディスプレイや有機ＥＬディスプレイ等であり、制御部１ｇから入力される表示信号に基づいて各種メッセージや電話番号、画像等を表示する。音声入出力部１ｅは、スピーカ及びマイクを備え、制御部１ｇから入力される音声信号に基づいて音声や音楽をスピーカを介して外部に出力する一方、マイクを介して入力された音声等を音声信号に変換して制御部１ｇに出力する。画像撮影部（撮影手段）１ｆは、例えばＣＣＤ（Charge Coupled Device）カメラ等の撮像素子を備え、制御部１ｇの制御の下、撮影した画像の画像信号を制御部１ｇに出力する。
【００１９】
制御部（制御手段）１ｇは、ＲＯＭ１ｈに予め記憶された所定の制御プログラム、キー入力部１ｃから入力される操作信号及び無線通信部１ａの通信状態等に基づいて、第１の携帯電話１の全体動作を制御するものである。また、この制御部１ｇは、上記制御プログラムに基づく特徴的な制御処理として、第１のユーザＡによってテレビ電話の発呼要求を受けると、ＧＰＳ通信部１ｂを制御して現在の第１の携帯電話１の位置情報を取得し、当該位置情報を無線通信部１ａを介して第１の基地局２へ送信する。なお、この制御部１ｇの詳細な動作については後述する。
【００２０】
ＲＯＭ１ｈは、例えばフラッシュメモリであり、制御部１ｇが実行する制御プログラムや各種データ、電話番号等を記憶し、さらに各電話番号毎に性別、年齢、趣味、誕生日等の個人情報や背景画像差し替え機能のＯＮ／ＯＦＦ設定情報を記憶している。ＲＡＭ１ｉは、制御部１ｇによる制御動作に使用されるワーキングエリアである。
【００２１】
第１の基地局２は、当該第１の基地局２のサービスエリアに存在する第１の携帯電話１と無線通信を行い、第１の携帯電話１から送信された画像データ、音声データ、位置情報及び個人情報を中継局３に送信する。また、第１の基地局２は、中継局３を介して送信されたテレビ電話の相手先（第２の携帯電話７）からの画像データ及び音声データを第１の携帯電話１へ送信する。
【００２２】
中継局３は、第１の携帯電話１から第１の基地局２を介して送信された画像データを位置情報及び個人情報に基づいて背景画像の差し替えを行う画像処理サーバ４と、各種の背景画像（合成用背景画像）を保存している背景画像データベース５とを備え、画像処理サーバ４によって背景画像の差し替えが行われた合成画像データと音声データとを第２の基地局６に送信する。
【００２３】
上記画像処理サーバ４は、図３に示すように、画像データ送受信部４ａ、位置・個人情報受信部４ｂ、インターネット接続部４ｃ、背景画像データベース接続部４ｄ、制御部４ｅ、画像処理部（画像加工部）４ｆ、ＨＤＤ（Hard Disk Drive）４ｇ、ＲＡＭ（Random Access Memory）４ｈから構成されている。
【００２４】
画像データ送受信部４ａは、制御部４ｅの制御の下で、第１の基地局２及び第２の基地局６との間で、画像データ及び合成画像データの送受信を行う。位置・個人情報受信部４ｂは、制御部４ｅの制御の下で、位置情報及び個人情報の受信を行う。インターネット接続部４ｃは、制御部４ｅの制御の下で、インターネット網Ｎとの接続を行い、天気情報サイトにアクセスして上記位置情報に応じた天気情報を取得する。背景画像データベース接続部４ｄは、背景画像データベース５と接続されており、制御部４ｅの制御の下で、背景画像データベース５から所望の合成用背景画像データを取得する。
【００２５】
制御部４ｅは、ＨＤＤ４ｇに格納されているシステムプログラム、画像処理用アプリケーション、その他のソフトウェアに従って動作し、画像処理サーバ４の各部を制御している。画像処理部４ｆは、画像データから背景画像と人物画像とを分離し、背景画像データベース５から取得した合成用背景画像と人物画像とを合成して合成画像データを作成する。ＨＤＤ４ｇは、制御部４ｅで実行されるシステムプログラム、画像処理用アプリケーション、その他のソフトウェアを格納しているハードディスクドライブである。ＲＡＭ４ｈは、制御部４ｅが各種ソフトウェアを実行する際にワーキングエリアとして使用される揮発性メモリである。
【００２６】
第２の基地局６は、第２の携帯電話７と無線通信を行い、中継局３（画像処理サーバ４）から送られてくる合成画像データ及び音声データを第２の携帯電話７に送信する。また、第２の基地局６は、第２の携帯電話７から送信される画像データ、音声データ、位置情報及び個人情報を受信し、中継局３へ出力する。第２の携帯電話７は、第２のユーザBのテレビ電話機能付携帯電話であり、第１の第１の携帯電話１と同様な機能を有している。
【００２７】
次に、上記のように構成されたテレビ電話システムの動作について、図４及び図５のフローチャート図を用いて説明する。
【００２８】
まず、第１のユーザＡが第１の携帯電話１のキー入力部１ｃを操作して、第２のユーザBの第２の携帯電話７へテレビ電話による発呼を開始する。キー入力部１ｃは、第１のユーザＡからの発呼要求を示す操作信号を制御部１ｇに出力する。第１の携帯電話１の制御部１ｇは、携帯電話に登録されている背景画像差し替え機能ＯＮ／ＯＦＦ設定、又は、ＲＯＭ１ｈに記憶されている第２のユーザBに対する背景画像差し替え機能のＯＮ／ＯＦＦ設定、又は発呼時に入力した背景画像差し替え機能ＯＮ／ＯＦＦ設定を確認し（ステップＳ１０）、上記背景画像差し替え機能がＯＮに設定されている場合、ＧＰＳ通信部１ｂを制御して現在の第１の携帯電話１の位置情報（緯度及び経度）を取得する（ステップＳ１１）。
【００２９】
そして、第１の携帯電話１の制御部１ｇは、無線通信部１ａを制御して発呼先番号（第２の携帯電話７の電話番号等の識別番号）、位置情報、背景画像差し替え要求信号及びＲＯＭ１ｈに記憶されている第２のユーザBの個人情報を第１の基地局２を介して中継局３に送信する（ステップＳ１２）。中継局３に備えられている画像処理サーバ４（具体的には制御部４ｅ）は、上記背景画像差し替え（加工）要求信号を受信すると、画像加工に必要な情報として位置情報や個人情報等を取得する（ステップＳ１３）。さらに、制御部４ｅは、インターネット接続部４ｃを介してインターネット網Ｎとの接続を行い、天気情報サイトにアクセスして上記位置情報に応じた天気情報、すなわち第１のユーザＡが現在居る場所の天気情報を取得する。また、現在の日時情報も取得する（ステップＳ１４）。
【００３０】
そして、制御部４ｅは、上記のように取得した位置情報、個人情報、天気情報及び日時情報に基づいて差し替えする合成用背景画像を選択し、当該合成用背景画像を背景画像データベース接続部４ｄを介して背景画像データベース５から取得する（ステップＳ１５）。例えば、位置情報から第１のユーザＡが○○タワー付近におり、天気情報から「晴れ」、日時情報から「昼間」であることが確認されると、制御部４ｅは、図６（ａ）のような合成用背景画像を選択して背景画像データベース５から取得する。また、他の例として、個人情報と日時情報とからその日が第２のユーザBの誕生日であることが確認されれば、制御部４ｅは、図６（ｂ）のような合成用背景画像を選択して背景画像データベース５から取得しても良い。
【００３１】
このように、差し替えする合成用背景画像を選択する場合は、図６（ａ）のように各種情報を満たすような合成用背景画像を選択しても良いし、図６（ｂ）にように、特別な日であれば、その日に最適な合成用背景画像を選択しても良い。
【００３２】
そして、受信側、すなわち第２のユーザBが受信応答すると（ステップＳ１６）、第１の携帯電話１の画像撮影部１ｆによって撮影された画像データと第１のユーザＡが話す音声データとが第１の基地局２を介して中継局３に送信される（ステップＳ１７）。画像データは、画像処理サーバ４の画像データ送受信部４ａを介して画像処理部４ｆに送られ、合成用背景画像も画像処理部４ｆに送られる（ステップＳ１８）。そして、画像処理部４ｆは、画像データから背景画像と人物画像とを分離し、合成用背景画像と人物画像とを合成して、背景画像の差し替え（加工）を行う（ステップＳ１９）。
【００３３】
ここで、図６（ｃ）を用いて画像処理部４ｆによる背景画像の差し替えについて説明する。例えば、図６（ｃ）のように、第１の携帯電話１から送信される画像データが符号１０であるとすると、まず、画像処理部４ｆは、この画像データ１０から人物画像と背景画像を分離して符号１１のような画像データを作成する。そして、画像処理部４ｆは、画像データ１１と合成用背景画像１２（ここでは合成用背景画像として図６（ａ）の画像を用いるとする）とを合成して合成画像データ１３を作成（画像を加工）する。
【００３４】
このようにして作成された合成画像データは、音声データと共に第２の携帯電話７に送信され、第１のユーザＡと第２のユーザBとの間でテレビ電話による通話が行われる（ステップＳ２０）。なお、ステップＳ１０において、背景画像の差し替え機能がＯＦＦ設定となっていれば、背景画像の差し替えは行われずに元の画像データのままでテレビ電話による通話が行われる。
【００３５】
さらに、テレビ電話中に第１のユーザＡが合成用背景画像の変更を行いたい場合（ステップＳ２１）、第１の携帯電話１を操作して画像処理サーバ４に対して合成用背景画像変更要求を送信する（ステップＳ２２）。上記操作とは、例えば、第１の携帯電話１のキー入力部１ｃのいずれかをプッシュする等の簡単な操作で合成用背景画像変更要求を送信できるように設定されている。画像処理サーバ４は、合成用背景画像変更要求を受信すると（ステップＳ２３）、ステップＳ１５に戻って位置情報、個人情報、天気情報及び日時情報に基づいて他の合成用背景画像を背景画像データベース５から取得して、以降はその新しい合成用背景画像を用いて合成画像データを作成する。
【００３６】
また、第１の携帯電話１の制御部１ｇは、テレビ電話中、ある一定時間毎にＧＰＳ通信部１ｂによって位置情報を取得しており、第１のユーザＡが移動することで位置情報に変化が生じた場合（ステップＳ２４）、第１の携帯電話１の制御部１ｇは、無線通信部１ａを制御して新しい位置情報を画像処理サーバ４に送信する。（ステップＳ２５）。画像処理サーバ４は、新しい位置情報を受信すると（ステップＳ２６）、ステップＳ１４に戻って新しい天気情報を取得し、上記の新しい位置情報と天気情報とから最適な合成用背景画像を選択して合成画像データを作成する。
【００３７】
なお、ステップＳ１０において、背景画像の差し替え機能がＯＦＦ設定となっていれば、上記ステップＳ２１及びＳ２４は省略される。
【００３８】
また、テレビ電話中に第１のユーザＡが背景画像差し替え機能のＯＮ／ＯＦＦ設定の変更を行いたい場合（ステップＳ２７）、第１のユーザＡは、第１の携帯電話１を操作して背景画像差し替え機能のＯＮ／ＯＦＦ設定の変更をおこなう。上記操作とは、例えば、キー入力部１ｃのいずれかをプッシュする等の簡単な操作で背景画像差し替え機能のＯＮ／ＯＦＦの変更ができるように設定されている。この時、ＯＮからＯＦＦへの設定変更であれば（ステップＳ２８）、第１の携帯電話１の制御部１ｇは、無線通信部１ａを制御して、
画像処理サーバ４に差し替え機能変更要求（ＯＦＦ要求）を送信する（ステップＳ２９）。画像処理サーバ４は、上記差し替え機能変更要求を受信し（ステップＳ３０）、それがＯＦＦ要求であれば差し替え機能を終了し、以降のテレビ電話は元の背景画像のままで行われる（ステップＳ３１）。
【００３９】
一方、ＯＦＦからＯＮへの設定変更であれば（ステップＳ２８）、第１の携帯電話１の制御部１ｇは、ＧＰＳ通信部１ｂを制御して位置情報を取得し（ステップＳ３２）、また、無線通信部１ａを制御して画像処理サーバ４に差し替え機能変更要求（ＯＮ要求）と共に位置情報及び個人情報を送信する（ステップＳ３３）。画像処理サーバ４は、差し替え機能変更要求を受信し（ステップＳ３０）、それがＯＮ要求であればステップＳ１３に戻り（ステップＳ３１）、背景画像差し替え動作を行う。
【００４０】
画像処理サーバ４は、第１の携帯電話１から差し替え機能変更要求が送信されなければ、
テレビ電話が終了するまでステップＳ１８以降の動作を繰り返し（ステップＳ３４）、第１の携帯電話１もテレビ電話が終了するまでステップＳ２１以降の動作を繰り返す（ステップＳ３５）。
【００４１】
なお、上記では主に第１の携帯電話１を送信側通信端末、第２の携帯電話７を受信側通信端末として説明したが、テレビ電話は双方向通信であり、第２の携帯電話７から送信される画像データについても同様の背景画像の差し替え処理を行うことが可能である。
【００４２】
以上のように、本テレビ電話システムによれば、ネットワーク側の中継局が背景画像を差し替えるための画像処理機能、合成用背景画像を記憶するためのメモリ、画像処理サーバ４及び背景画像データベース５備えたので、携帯電話の装置コストを低減することができる。また、位置情報、個人情報、天気情報及び日時情報に基づいて、中継局が自動的に背景画像の差し替えを行うので、送信側のユーザのプライバシーに関わる情報が受信側に送られることもなく、テレビ電話としての臨場感も楽しむことができる。
【００４３】
なお、本発明は、上記実施形態に限定されるものではなく、例えば以下のような変形例が考えられる。
【００４４】
（１）上記実施形態では、背景画像データベース５から一つの合成用背景画像を選択したが、これに限らず、複数の合成用背景画像を選択し、画像処理部４ｆによってそれら複数の合成用背景画像を合成して一つの合成用背景画像を生成しても良い。
【００４５】
（２）合成用背景画像としては、実写を元にした画像だけでなく、文字、アニメキャラクタやコンピュータグラフィック等の多種多様な画像を使用可能である。
【００４６】
（３）上記実施形態では、個人情報の内、誕生日に関する合成用背景画像を選択したが、例えば、年齢、趣味等の個人情報に関する合成用背景画像を選択しても良い。
【００４７】
（４）日時情報に関する合成用背景画像を選択する場合、季節やイベントに合わせた合成用背景画像を選択しても良い（例えば、春ならば桜、冬ならクリスマスに関する合成用背景画像を選択）。
【００４８】
（５）上記実施形態では、背景画像の差し替えを行ったが、これに限らず、人物画像の方を他のアニメキャラクタ等に差し替えても良い。
【００４９】
（６）上記実施形態では、携帯電話を用いたテレビ電話システムについて説明したが、固定式のテレビ電話にも適用可能である。この場合、ＧＰＳ機能は、必ずしも必要ではない。
【００５０】
（７）また、位置情報の取得はＧＰＳ機能に限定されるものではない。例えば、基地局ＩＤ等の基づいて位置を特定しても良い。
【００５１】
（８）画像の選択は各種情報に基づいて決定されれば良く、１つでも複数の組み合わせに基づいて決定されても良い。また、送信する情報も上記実施例に限定されるものではなく、必要な情報だけを送信するものであっても良い。
【図面の簡単な説明】
【００５２】
【図１】本発明の一実施形態に係るテレビ電話システムの構成概略図である。
【図２】本発明の一実施形態に係る通信端末（第１の携帯電話１）の構成ブロック図である。
【図３】本発明の一実施形態に係る画像処理サーバ４の構成ブロック図である。
【図４】本発明の一実施形態に係るテレビ電話システムの動作を示す第１のフローチャート図である。
【図５】本発明の一実施形態に係るテレビ電話システムの動作を示す第２のフローチャート図である。
【図６】本発明の一実施形態に係る背景画像差し替え処理の説明図である。
【符号の説明】
【００５３】
Ａ…第１のユーザ、Ｂ…第２のユーザ、１…第１の携帯電話、１ａ…無線通信部、１ｂ…ＧＰＳ（Global Positioning System）通信部、１ｃ…キー入力部、１ｄ…表示部、１ｅ…音声入出力部、１ｆ…画像撮影部、１ｇ…制御部、１ｈ…ＲＯＭ、１ｉ…ＲＡＭ、２…第１の基地局、３…中継局、４…画像処理サーバ、４ａ…画像データ送受信部、４ｂ…位置・個人情報受信部、４ｃ…インターネット接続部、４ｄ…背景画像データベース接続部、４ｅ…制御部、４ｆ…画像処理部、４ｇ…ＨＤＤ、４ｈ…ＲＡＭ、５…背景画像データベース、６…第２の基地局、７…第２の携帯電話、Ｎ…インターネット網
【図１】
2007174281.tif 000003
【図２】
2007174281.tif 000004
【図３】
2007174281.tif 000005
【図４】
2007174281.tif 000006
【図５】
2007174281.tif 000007
【図６】
2007174281.tif 000008